(57)【要約】【課題】潜像を肉眼で視認しにくく、かつ、デザイン性の高い偽造防止用紙を提供する。【解決手段】偽造防止用紙１０は、基紙１１の表面に、独立した基本模様１２Ａを複数配置した地紋１２が印刷されている。地紋１２は、１３３線以上、５％から２０％の網点により表される第１領域１２Ｂと、太さ０．０３ｍｍ以上０．４ｍｍ以下の線を０．３ｍｍ以上２ｍｍ以下の間隔を開けて複数配置した濃度が５％から２０％の線群により表される第２領域１２Ｃとを有している。複写すると、第１領域１２Ｂは再現されないか、淡色で再現され、第２領域１２Ｃは濃色で再現される。複写物では、第２領域１２Ｃを表す線群により、主観的輪郭および同化現象が起こり、第１領域１２Ｂまたは第２領域１２Ｃが潜像として出現する。【選択図】図１
0003171660.tif 000002
【実用新案登録請求の範囲】
【請求項１】
独立した基本模様を複数配置した地紋が印刷され、
前記地紋は、１３３線以上、５％から２０％の網点により表される第１領域と、太さ０．０３ｍｍ以上０．４ｍｍ以下の線を０．３ｍｍ以上２ｍｍ以下の間隔を開けて複数配置した濃度が５％から２０％の線群により表される第２領域とを有し、
複写機により複写した複写物には、主観的輪郭および同化現象により、第１領域または第２領域のどちらか一方が潜像として現れる
ことを特徴とする偽造防止用紙。
【請求項２】
前記第１領域により前記潜像を構成することを特徴とする請求項１記載の偽造防止用紙。
【請求項３】
前記第２領域は、前記基本模様の輪郭に沿って描かれた環状の輪郭線と、その内側に間隔を開けて描かれた少なくとも１つの内側線とを有することを特徴とする請求項１または請求項２記載の偽造防止用紙。
【請求項４】
前記第２領域は、平行に配列された複数の直線により表され、前記直線の延長方向が異なる複数の直線群領域を規則的に配列して有することを特徴とする請求項１または請求項２記載の偽造防止用紙。
【請求項５】
前記地紋は、独立した複数種の基本模様をそれぞれ複数有することを特徴とする請求項１から請求項４のいずれか１に記載の偽造防止用紙。
【考案の詳細な説明】
【技術分野】
【０００１】
本考案は、複写機により複写すると潜像が現れて複写物であることがわかる偽造防止用紙に関する。
【背景技術】
【０００２】
従来より、複写による偽造や変造を防止するために、用紙表面に「ＣＯＰＹ」等の潜像を印刷し、複写機により複写すると、その潜像が現れて複写物であることがわかるようにした用紙が提案されている。例えば、特許文献１には、潜像と背景とを大きさの異なる網点を用いて表し、複写すると網点の大きさの差が濃度差となって潜像が現れる技術が記載されている。
【０００３】
しかしながら、網点の大きさの差異により潜像を表す従来の方法では、目が慣れてくると潜像が視認しやすいという問題があった。また、従来の方法では、デザイン性が低く、多種多様なパターンを作ることが難しいという問題もあった。
【先行技術文献】
【特許文献】
【０００４】
【特許文献１】特公昭５８−４７７０８号公報
【考案の概要】
【考案が解決しようとする課題】
【０００５】
本考案は、このような問題に基づきなされたものであり、潜像を肉眼で視認しにくく、かつ、デザイン性の高い偽造防止用紙を提供することを目的とする。
【課題を解決するための手段】
【０００６】
本考案の偽造防止用紙は、独立した基本模様を複数配置した地紋が印刷され、地紋は、１３３線以上、５％から２０％の網点により表される第１領域と、太さ０．０３ｍｍ以上０．４ｍｍ以下の線を０．３ｍｍ以上２ｍｍ以下の間隔を開けて複数配置した濃度が５％から２０％の線群により表される第２領域とを有し、複写機により複写した複写物には、主観的輪郭および同化現象により、第１領域または第２領域のどちらか一方が潜像として現れるものである。
【考案の効果】
【０００７】
本考案の偽造防止用紙によれば、１３３線以上、５％から２０％の網点により表される第１領域と、太さ０．０３ｍｍ以上０．４ｍｍ以下の線を０．３ｍｍ以上２ｍｍ以下の間隔を開けて複数配置した濃度が５％から２０％の線群により表される第２領域とを有するようにしたので、複写すると、第１領域は再現されないか、淡色で再現されるようにすることができ、第２領域は濃色で再現されるようにすることができる。また、独立した基本模様を複数配置して地紋を構成するようにしたので、複写物では、第２領域を表す線群により、主観的輪郭および同化現象が起こり、第１領域または第２領域を潜像として明確に出現させることができる。更に、各基本模様の間に印刷されていない面が存在するので、肉眼により第１領域と第２領域とを識別しにくくすることができる。加えて、基本模様の形および配置の自由度が高く、多種多様なパターンを作ることができ、デザイン性を高めることができる。更にまた、画線部分が少ないので、紙質への影響が少なく、特殊紙等の風合いを損ねてしまうことを防止することができる。
【０００８】
特に、第１領域により潜像を構成するようにすれば、潜像をより明確に出現させることができると共に、肉眼により第１領域と第２領域とをより識別しにくくすることができる。
【０００９】
更に、第２領域が、基本模様の輪郭に沿って描かれた環状の輪郭線と、その内側に間隔を開けて描かれた少なくとも１つの内側線とを有するようにすれば、または、第２領域が、平行に配列された複数の直線により表され、直線の延長方向が異なる複数の直線群領域を規則的に配列して有するようにすれば、より高い効果を得ることができる。
【図面の簡単な説明】
【００１０】
【図１】本考案の一実施の形態に係る偽造防止用紙の一部を表す図である。
【図２】図１に示した偽造防止用紙の複写物の一部を表す図である。
【図３】本考案の一実施の形態に係る偽造防止用紙の変形例を表す図である。
【図４】本考案の一実施の形態に係る偽造防止用紙の他の変形例を表す図である。
【図５】本考案の一実施の形態に係る偽造防止用紙の更に他の変形例を表す図である。
【図６】本考案の一実施の形態に係る偽造防止用紙の更に他の変形例を表す図である。
【考案を実施するための形態】
【００１１】
以下、本考案の実施の形態について図面を参照して詳細に説明する。
【００１２】
（一実施の形態）
図１は、本考案の一実施の形態に係る偽造防止用紙１０の構成を表すものであり、図２は、偽造防止用紙１０の複写物２０の構成を表すものである。
【００１３】
この偽造防止用紙１０は、例えば、基紙１１の表面に、独立した基本模様１２Ａを複数配置した地紋１２が印刷されている。地紋１２は、基紙１１の全面に渡って印刷されていてもよいが、一部に印刷されていてもよい。基本模様１２Ａは、図形、文字、イラスト、ロゴマークなど、どのような形状でもよい。色は、複写機により再現されれば何色でもよい。基本模様１２Ａの大きさは、基紙１１や地紋１２の印刷領域の大きさ、または潜像の大きさによっても異なるが、例えば、一辺の最大長さで、０．３ｍｍ以上２９７ｍｍ以下程度が好ましく、３ｍｍ以上５０ｍｍ以下程度であればより好ましい。各基本模様１２Ａは、間隔を開けて完全に分離して配置されていてもよく、一部が接触していたり、一部が重なって配置されていてもよい。各基本模様１２Ａは、規則的に配置されていてもよく、ランダムに配置されていてもよい。なお、図１では、基本模様１２Ａを９０度ずつ回転させて接合した四つ葉状模様を規則的に配置した例を示している。
【００１４】
地紋１２は、また、１３３線以上、５％から２０％の網点により表される第１領域１２Ｂと、太さ０．０３ｍｍ以上０．４ｍｍ以下の線を０．３ｍｍ以上２ｍｍ以下の間隔を開けて複数配置した濃度が５％から２０％の線群により表される第２領域１２Ｃとを有している。第１領域１２Ｂは、複写機により複写すると、再現されないか、淡色で再現される領域であり、第２領域１２Ｃは、複写機により複写すると、濃色で再現される領域である。これにより、第１領域１２Ｂまたは第２領域１２Ｃのどちらか一方が、「ＣＯＰＹ」等の潜像を構成するようになっている。潜像は、第１領域１２Ｂまたは第２領域１２Ｃのどちらで構成することもできるが、第１領域１２Ｂにより構成する方が好ましい。肉眼による第１領域１２Ｂと第２領域１２Ｃとの識別をより難しくすることができ、かつ、複写物２０において、潜像をより明確に出現させることができるからである。
【００１５】
第１領域１２Ｂと第２領域１２Ｃとは、必ずしも基本模様１２Ａ毎に分けられるのではなく、１つの基本模様１２Ａにおいて、一部が第１領域１２Ｂにより構成され、他の一部が第２領域１２Ｃにより構成されることもある。なお、図１では、第１領域１２Ｂの周りを線で囲んでいるが、この線は分かりやすくするために加えたものであり、実際には存在しない。
【００１６】
第１領域１２Ｂの網点の線数は、一般的には、例えば１３３線から２００線程度であるが、印刷技術により高くすることが可能であれば３００線程度としてもよい。第１領域１２Ｂの濃度は、均一とすることが好ましい。また、第１領域１２Ｂの濃度と第２領域１２Ｃの濃度とは同程度とすることが好ましい。但し、基本模様１２Ａの形や大きさ、または第２領域１２Ｃの線群の描き方により見え方が異なるので、数値ではなく、見た目が同程度となるように、それらの濃度差を±５％範囲内で微調整することが好ましい。なお、第１領域１２Ｂにおける網点の線数は、１インチ（２．５４ｃｍ）の幅の中に存在する網点の数であり、網点の濃度は、所定の面積において網点が占める割合である。第２領域１２Ｃにおける線群の濃度は、所定の面積において線群が占める割合である。
【００１７】
第２領域１２Ｃの線群は、例えば、基本模様１２Ａの輪郭に沿って描かれた環状の輪郭線１２Ｄと、その内側に間隔を開けて描かれた少なくとも１つの内側線１２Ｅとを有している。第２領域１２Ｃの各線の太さおよび各線の間の間隔は、略同一であることが好ましい。第２領域１２Ｃにおける各線の太さは、０．０３ｍｍ以上０．２ｍｍ以下であればより好ましく、各線の間の間隔は０．３ｍｍ以上１ｍｍ以下であればより好ましい。
【００１８】
この偽造防止用紙１０は、複写機により複写すると、例えば図２に示したように、第１領域１２Ｂは再現されないか、淡色で再現され、第２領域１２Ｃは濃色で再現される。また、地紋１２は独立した基本模様１２Ａを複数配置することにより構成されているので、複写物２０では、間を開けて配置された第２領域１２Ｃを構成する線群により、主観的輪郭および同化現象が起こる。主観的輪郭というのは、形や線がないところに形や線が見える現象であり、欠落している部分を補完する作用により生じるものである。同化というのは、特定の色が周囲の色の影響を受け、同じような色調を帯びる効果を言う。よって、複写物２０では、各基本模様１２Ａの間が主観的輪郭により補完され、第２領域１２Ｃは同化により、更に濃く見える。従って、第１領域１２Ｂまたは第２領域１２Ｃが潜像として明確に出現する。
【００１９】
このように本実施の形態によれば、１３３線以上、５％から２０％の網点により表される第１領域１２Ｂと、太さ０．０３ｍｍ以上０．４ｍｍ以下の線を０．３ｍｍ以上２ｍｍ以下の間隔を開けて複数配置した濃度が５％から２０％の線群により表される第２領域１２Ｃとを有するようにしたので、複写すると、第１領域１２Ｂは再現されないか、淡色で再現され、第２領域１２Ｃは濃色で再現されるようにすることができる。また、独立した基本模様１２Ａを複数配置して地紋１２を構成するようにしたので、複写物２０では、第２領域１２Ｃを表す線群により、主観的輪郭および同化現象が起こり、第１領域１２Ｂまたは第２領域１２Ｃを潜像として明確に出現させることができる。更に、各基本模様１２Ａの間に印刷されていない面が存在するので、肉眼により第１領域１２Ｂと第２領域１２Ｃとを識別しにくくすることができる。加えて、基本模様１２Ａの形および配置の自由度が高く、多種多様なパターンを作ることができ、デザイン性を高めることができる。更にまた、画線部分が少ないので、紙質への影響が少なく、特殊紙等の風合いを損ねてしまうことを防止することができる。
【００２０】
特に、第１領域１２Ｂにより潜像を構成するようにすれば、潜像をより明確に出現させることができると共に、肉眼により第１領域１２Ｂと第２領域１２Ｃとをより識別しにくくすることができる。
【００２１】
更に、第２領域１２Ｃが、基本模様１２Ａの輪郭に沿って描かれた環状の輪郭線１２Ｄと、その内側に間隔を開けて描かれた少なくとも１つの内側線１２Ｅとを有するようにすれば、より高い効果を得ることができる。
【００２２】
（変形例）
図３は、基本模様１２Ａの他の形状例を示すものであり、（Ａ）は偽造防止用紙１０、（Ｂ）はその複写物２０を表している。基本模様１２Ａの形状以外は、図１に示した偽造防止用紙１０と同様である。このように構成しても、図１に示した偽造防止用紙１０と同様の効果を得ることができる。
【００２３】
図４は、基本模様１２Ａの他の構成例を示すものであり、（Ａ）は偽造防止用紙１０、（Ｂ）はその複写物２０を表している。図４に示した例では、基本模様１２Ａは四角形であり、規則的に配置されている。第２領域１２Ｃは、平行に配列された複数の直線により表されており、直線の延長方向が異なる複数の直線群領域１２Ｆを規則的に配列して有している。他の構成は、図１に示した偽造防止用紙１０と同様である。このように構成しても、図１に示した偽造防止用紙１０と同様に、高い効果を得ることができる。
【００２４】
図５は、基本模様１２Ａの更に他の構成例を示すものであり、（Ａ）は偽造防止用紙１０、（Ｂ）はその複写物２０を表している。図５に示した例では、独立した複数種の基本模様１２Ａをそれぞれ複数有している。基本模様１２Ａは文字であり、規則的に配置されている。他の構成は、図１に示した偽造防止用紙１０と同様である。このように構成しても、図１に示した偽造防止用紙１０と同様の効果を得ることができる。
【００２５】
図６は、基本模様１２Ａの更に他の構成例を示すものであり、（Ａ）は偽造防止用紙１０、（Ｂ）はその複写物２０を表している。図６に示した例では、図５に示した例と同様に、独立した複数種の基本模様１２Ａをそれぞれ複数有している。基本模様１２Ａは文字であり、規則的に配置されている。また、第２領域１２Ｃは、図４に示した例と同様に、平行に配列された複数の直線により表されており、直線の延長方向が異なる複数の直線群領域１２Ｆを規則的に配列して有している。他の構成は、図１に示した偽造防止用紙１０と同様である。このように構成しても、図１に示した偽造防止用紙１０と同様に、高い効果を得ることができる。
【００２６】
以上、実施の形態を挙げて本考案を説明したが、本考案は上記実施の形態に限定されるものではなく、種々変形可能である。例えば、上記実施の形態では、基本模様１２Ａの構成を具体的に説明したが、他の構成を有するようにしてもよい。また、上記実施の形態では、潜像を「ＣＯＰＹ」等の文字により構成する場合について説明したが、図形、イラスト、ロゴマーク等により構成してもよい。更に、上記実施の形態では、各構成要素についても具体的に説明したが、全ての構成要素を備えていなくてもよく、また、他の構成要素を備えていてもよい。
【産業上の利用可能性】
【００２７】
複写による偽造や変造の防止に用いることができる。
【符号の説明】
【００２８】
１０…偽造防止用紙、１１…基紙、１２…地紋、１２Ａ…基本模様、１２Ｂ…第１領域、１２Ｃ…第２領域、１２Ｄ…輪郭線、１２Ｅ…内側線、１２Ｆ…直線群領域、２０…複写物
【図１】
0003171660.tif 000003
【図２】
0003171660.tif 000004
【図３】
0003171660.tif 000005
【図４】
0003171660.tif 000006
【図５】
0003171660.tif 000007
【図６】
0003171660.tif 000008